(57)【要約】【課題】  表示部材に表示された情報と、指針によって指示された指示情報との両方を知ることができ、且つ全体の厚みを薄くすることができる計測機器を提供する。【解決手段】  指針２５を運針させるためのアナログムーブメント１０と、情報を表示する平面型の表示部材８とを備えた時計において、表示部材８にアナログムーブメント１０の指針２５を運針可能に収容する指針運針凹部２０を設けた。従って、表示部材８によって表示された時刻などの情報を知ることができると共に、指針２５によって指示された時刻をも知ることができ、且つ表示部材８の指針運針凹部２０内に指針２５を収容して運針させることができるので、表示部材８と指針２５との両方を備えていても、アナログムーブメント１０の厚み以外に、表示部材８の厚みを確保するだけで良く、これにより時計全体の厚みを薄くできる。【選択図】        図２
2009156579.tif 000002
【特許請求の範囲】
【請求項１】
指針を運針させるための指針駆動部と、情報を表示する平面型の表示部材とを備えた計測機器において、
前記表示部材に前記指針駆動部の前記指針を運針可能に収容する指針運針凹部を設けたことを特徴とする計測機器。
【請求項２】
前記表示部材は、１枚の表示パネルからなることを特徴とする請求項１に記載の計測機器。
【請求項３】
前記表示部材は、表面側の第１表示パネルと裏面側の第２表示パネルとを積層させた２層構造であることを特徴とする請求項１に記載の計測機器。
【請求項４】
前記指針運針凹部は、前記表面側の前記第１表示パネルのみに設けられていることを特徴とする請求項３に記載の計測機器。
【請求項５】
前記指針運針凹部は、前記裏面側の前記第２表示パネルのみに設けられていることを特徴とする請求項３に記載の計測機器。
【請求項６】
前記指針運針凹部は、前記表面側の前記第１表示パネルと前記裏面側の前記第２表示パネルとに連続して設けられていることを特徴とする請求項３に記載の計測機器。
【請求項７】
前記指針運針凹部の内周面には、見切り部材が設けられていることを特徴とする請求項１〜６のいずれかに記載の計測機器。
【請求項８】
前記見切り部材には、目盛が設けられていることを特徴とする請求項７に記載の計測機器。
【発明の詳細な説明】
【技術分野】
【０００１】
この発明は、腕時計などの時計や各種メータなどの計測機器に関する。
【背景技術】
【０００２】
従来、腕時計においては、特許文献１に記載されているように、指針を運針するアナログムーブメントと時刻などの情報を電気光学的に表示する液晶表示パネルとを備え、この液晶表示パネルの下側にアナログムーブメントを設け、このアナログムーブメントの指針軸を液晶表示パネルの中心部に設けられた軸挿入孔に挿入させて液晶表示パネルの上方に突出させ、この突出した指針軸の上端部に指針を取り付けることにより、指針が液晶表示パネルの上方を運針するように構成したものがある。
【特許文献１】特開２００６−２７５９４１号
【発明の開示】
【発明が解決しようとする課題】
【０００３】
このような従来の腕時計では、液晶表示パネルによって時刻などの情報を知ることができると共に、アナログムーブメントの指針によっても時刻を知ることができるが、アナログムーブメントの指針軸が液晶表示パネルの軸挿入孔に挿入して液晶表示パネルの上方に突出し、この突出した指針軸の上端部に取り付けられた指針が液晶表示パネルの上方を運針する構成であるから、アナログムーブメントの厚み以外に、指針が液晶表示パネルの上方を運針する領域の厚みと、液晶表示パネルの厚みとの両方の厚みを確保する必要があり、このため時計全体の厚みが厚くなるという問題がある。
【０００４】
この発明が解決しようとする課題は、表示部材に表示された情報と指針によって指示された指示情報との両方を知ることができ、且つ全体の厚みを薄くすることができる計測機器を提供することである。
【課題を解決するための手段】
【０００５】
この発明は、上記課題を解決するために、次のような構成要素を備えている。
請求項１に記載の発明は、指針を運針させるための指針駆動部と、情報を表示する平面型の表示部材とを備えた計測機器において、
前記表示部材に前記指針駆動部の前記指針を運針可能に収容する指針運針凹部を設けたことを特徴とする計測機器である。
【０００６】
請求項２に記載の発明は、前記表示部材が１枚の表示パネルからなることを特徴とする請求項１に記載の計測機器である。
【０００７】
請求項３に記載の発明は、前記表示部材が表面側の第１表示パネルと裏面側の第２表示パネルとを積層させた２層構造であることを特徴とする請求項１に記載の計測機器である。
【０００８】
請求項４に記載の発明は、前記指針運針凹部が前記表面側の前記第１表示パネルのみに設けられていることを特徴とする請求項３に記載の計測機器である。
【０００９】
請求項５に記載の発明は、前記指針運針凹部が前記裏面側の前記第２表示パネルのみに設けられていることを特徴とする請求項３に記載の計測機器である。
【００１０】
請求項６に記載の発明は、前記指針運針凹部が前記表面側の前記第１表示パネルと前記裏面側の前記第２表示パネルとに連続して設けられていることを特徴とする請求項３に記載の計測機器である。
【００１１】
請求項７に記載の発明は、前記指針運針凹部の内周面に見切り部材が設けられていることを特徴とする請求項１〜６のいずれかに記載の計測機器である。
【００１２】
請求項８に記載の発明は、前記見切り部材に目盛が設けられていることを特徴とする請求項７に記載の計測機器である。
【発明の効果】
【００１３】
この発明によれば、表示部材によって表示された情報を知ることができると共に、指針によって指示された指示情報をも知ることができ、且つ表示部材の指針運針凹部内に指針を収容して運針させることができるので、表示部材と指針との両方を備えていても、表示部材の厚みを確保するだけで良く、これにより機器全体の厚みを薄くすることができる。
【発明を実施するための最良の形態】
【００１４】
（実施形態１）
以下、図１〜図４を参照して、この発明を腕時計に適用した実施形態１について説明する。
この腕時計は、図１および図２に示すように、腕時計ケース１を備えている。この腕時計ケース１の上側開口部には、時計ガラス２が取り付けられており、腕時計ケース１の下面には、腕時計ケース１の下側開口部を塞ぐ裏蓋３が防水リング４を介して取り付けられている。また、この腕時計ケース１の内部には、時計モジュール５が収容されている。
【００１５】
この時計モジュール５は、図２に示すように、上部ハウジング６と下部ハウジング７とを備えている。上部ハウジング６内には、表示部材８とバックライトパネル９とが上下に積層された状態で設けられており、下部ハウジング７内には、アナログムーブメント１０が設けられている。また、上部ハウジング６と下部ハウジング７との間には、図２に示すように、回路基板１１が設けられており、上部ハウジング６と時計ガラス２との間には、第１見切り部材１２が設けられている。
【００１６】
この時計モジュール５の表示部材８は、図２に示すように、１枚の液晶表示パネルからなり、インターコネクタ８ａによって回路基板１１上に電気的に接続された状態で支持されている。この表示部材８である液晶表示パネルは、図２〜図４に示すように、上下一対の透明な電極基板１３、１４間の周囲にシール材１５を設け、このシール材１５で囲われた一対の電極基板１３、１４間に液晶１６を封入し、上側の電極基板１３の上面に上側偏光板１７を設けると共に、下側の電極基板１４の下面に下側偏光板１８を設けた構成になっている。
【００１７】
この表示部材８である液晶表示パネルは、図２および図４に示すように、一対の電極基板１３、１４間に電圧を印加して液晶１６を駆動することにより、図１に示すように、時刻などの情報を電気光学的に表示するように構成されている。この場合、表示部材８である液晶表示パネルは、図１および図３に示すように、全体が縦長のほぼ長方形状に形成されており、その中央部には、指針運針凹部２０が設けられている。
【００１８】
この指針運針凹部２０は、図２に示すように、後述するアナログムーブメント１０によって運針する指針２５を運針可能に収容する大きさの円形状の孔であり、表示部材８である液晶表示パネルの上下、つまり上側偏光板１７の上面から下側偏光板１８の下面に亘って貫通して設けられている。この指針運針凹部２０の周囲における電極基板１３、１４間にも、図３および図４に示すように、シール材１５が設けられており、この指針運針凹部２０の内周面には、図２および図４に示すように、第２見切り部材２１が設けられている。
【００１９】
この第２見切り部材２１は、図１〜図４に示すように、全体が円形のリング状に形成され、指針運針凹部２０の周囲における表示部材８である液晶表示パネルの強度を補強するように構成されている。この場合、第２見切り部材２１の上部には、図４に示すように、指針運針凹部２０の周囲における電極基板１３、１４間に設けられたシール材１５に対応する上側の偏光板１７の上面を覆う鍔部２１ａが設けられている。また、この第２見切り部材２１の上端面には、図１および図４に示すように、時字２２が円周に沿って等間隔で設けられている。さらに、この第２見切り部材２１の下部には、指針運針凹部２０の周囲に位置する下側の電極基板１４の下面を少し覆うフック部２１ｂが設けられている。
【００２０】
これにより、表示部材８である液晶表示パネルは、図１および図２に示すように、その外周部の上面が縦長の長方形状に形成された枠状の第１見切り部材１２によって覆われていることにより、この第１見切り部材１２の内周側に位置する領域で、且つ円形のリング状に形成された第２見切り部材２１の外周側に位置する領域が、情報を表示するための表示領域に形成されている。この表示領域は、図１に示すように、指針運針凹部２０の上部側に位置する１２時側の領域と、指針運針凹部２０の下部側に位置する６時側の領域との２つの領域に分けられ、１２時側の領域で曜日や日付などの情報を表示し、６時側の領域で現在時刻などの情報を表示するように構成されている。
【００２１】
また、表示部材８の下に配置されたバックライトパネル９は、ＥＬ（エレクトロルミネッセンス）発光素子からなる平面型の発光部材であり、平面発光することにより表示部材８の下面を照明するように構成されている。この場合、表示部材８の指針運針凹部２０に対応する箇所に位置するバックライトパネル９の中心部には、図２に示すように、後述するアナログムーブメント１０の指針軸２４が挿入する軸挿入孔９ａが設けられている。また、回路基板１１にも、軸挿入孔１１ａがバックライトパネル９の軸挿入孔９ａに対応して設けられている。
【００２２】
一方、アナログムーブメント１０は、図１および図２に示すように、ステップモータの回転を輪列機構部（いずれも図示せず）によって指針軸２４に伝達して指針軸２４を回転させることにより、指針軸２４に取り付けられた指針２５を運針させるものであり、下部ハウジング７内に設けられている。この場合、指針軸２４は、筒状の時針軸２４ａと、この時針軸２４ａ内に回転自在に挿入する棒状の分針軸２４ｂとを備え、アナログムーブメント１０内から回路基板１１の軸挿入孔１１ａおよびバックライトパネル９の軸挿入孔９ａを通して表示部材８の指針運針凹部２０内に突出するように構成されている。
【００２３】
また、この指針軸２４は、図２に示すように、時針軸２４ａ内に挿入された棒状の分針軸２４ｂの上端部が時針軸２４ａの上端部よりも少し上方に突出し、この突出した分針軸２４ｂの上端部が表示部材８の上面、つまり上側偏光板１７の上面とほぼ同じ高さで、第２見切り部材２１の上面よりも少し低い位置に配置され、これにより分針軸２４ｂの上端部が表示部材８である液晶表示パネルの上方に突出しないように構成されている。
【００２４】
また、表示部材８の指針運針凹部２０内に突出した指針軸２４の上端部には、図２に示すように、指針２５が取り付けられている。この指針２５は、時針軸２４ａの上端部に取り付けられた時針２５ａと、分針軸２４ｂの上端部に取り付けられた分針２５ｂとを備えた２針構造で、時針２５ａと分針２５ｂとが表示部材８の指針運針凹部２０内で運針するように構成されている。
【００２５】
このような腕時計によれば、図１に示すように、表示部材８である液晶表示パネルの表示領域における１２時側の領域で曜日や日付などの情報を表示することができると共に、表示部材８である液晶表示パネルの表示領域における６時側の領域で現在時刻などの情報を表示することができ、且つ表示部材８の指針運針凹部２０内で運針する指針２５によって現在時刻を指示することができる。これにより、腕時計ケース１の外部から時計ガラス２を通して、表示部材８で表示された情報、およびアナログムーブメント１０の指針２５で指示された現在時刻を視認することができる。
【００２６】
このように、この腕時計によれば、１枚の液晶表示パネルからなる表示部材８に、指針２５を運針可能に収容する指針運針凹部２０を設けたので、この指針運針凹部２０内で指針２５を運針させることができる。このため、表示部材８と指針２５との両方を備えていても、アナログムーブメント１０の厚み以外に、表示部材８の厚みを確保するだけで良いので、時計全体の薄型化を図ることができる。この場合、時計ガラス２と時計モジュール５の上部ハウジング６との間に配置された第１見切り部材１２を薄く形成することにより、時計ガラス２を表示部材８の上面に接近させることができ、これによっても腕時計ケース１の厚みを薄くすることができる。
【００２７】
また、表示部材８における指針運針凹部２０の内周部には、図２に示すように、円形のリング状に形成された第２見切り部材２１が設けられているので、このリング状の第２見切り部材２１によって表示部材８である液晶表示パネルの強度を補強することができ、これにより表示部材８に指針運針凹部２０を設けても、表示部材８である液晶表示パネルの強度を十分に高めることができるほか、この第２見切り部材２１によって時計全体の外観およびデザインを損なわないようにすることができる。
【００２８】
また、この第２見切り部材２１は、図１に示すように、第１見切り部材１２で囲われる領域内に円形のリング状に設けられ、その周囲における上面に時字２２が円周に沿って等間隔で設けられているので、第１見切り部材１２よりも第２見切り部材２１を指針２５に接近させることができ、これにより指針運針凹部２０内で指針２５が運針する際、指針２５が指示する時字２２を確認しやすくことができるので、時刻を正確に且つ良好に知ることができる。
【００２９】
（実施形態２）
次に、図５〜図８を参照して、この発明を腕時計に適用した実施形態２について説明する。なお、図１〜図４に示された実施形態１と同一部分には同一符号を付して説明する。
この腕時計は、表示部材３０が第１液晶表示パネル３１と第２液晶表示パネル３２とを上下に積層した２層構造で、上側に位置する第１液晶表示パネル３１に指針運針凹部３３を設けた構成であり、これ以外は実施形態１とほぼ同じ構成になっている。
【００３０】
この表示部材３０における上側の第１液晶表示パネル３１は、実施形態１の表示部材８である液晶表示パネルと同じ構成になっている。すなわち、この第１液晶表示パネル３１は、図７に示すように、上下一対の透明な電極基板１３、１４間の周囲にシール材１５（図８（ａ）参照）を設け、このシール材１５で囲われた一対の電極基板１３、１４間に液晶１６（図４参照）を封入し、上側の電極基板１３の上面に上側偏光板１７を設けると共に、下側の電極基板１４の下面に下側偏光板１８を設けた構成になっている。
【００３１】
この第１液晶表示パネル３１は、図７に示すように、インターコネクタ３１ａによって回路基板１１上に電気的に接続された状態で支持され、この状態で一対の電極基板１３、１４間に電圧を印加して液晶１６を駆動することにより、実施形態１の表示部材８と同様、時刻などの情報を電気光学的に表示するように構成されている。この第１液晶表示パネル３１も、図５および図８（ａ）に示すように、全体が縦長のほぼ長方形状に形成されており、その中央部には、指針運針凹部３３が設けられている。
【００３２】
この指針運針凹部３３も、実施形態１の指針運針凹部２０と同様、アナログムーブメント１０によって運針する指針２５を運針可能に収容する大きさの円形状の孔であり、第１液晶表示パネル３１の上下、つまり上側偏光板１７の上面から下側偏光板１８の下面に亘って貫通して設けられている。この指針運針凹部３３の周囲における電極基板１３、１４間にも、図８（ａ）に示すように、シール材１５が設けられていると共に、指針運針凹部３３の内周面にも、実施形態１と同様、第２見切り部材２１が設けられている（図４参照）。
【００３３】
この第２見切り部材２１も、実施形態１と同様、全体が円形のリング状に形成され、指針運針凹部３３の周囲における第１液晶表示パネル３１の強度を補強するように構成されている。この場合にも、第２見切り部材２１の上部には、図４に示したように、指針運針凹部３３の周囲における電極基板１３、１４間に設けられたシール材１５に対応する上側の偏光板１７の上面を覆う鍔部２１ａが設けられている。また、この第２見切り部材２１の上端面には、図５および図６に示すように、時字２２が円周に沿って等間隔で設けられている。さらに、この第２見切り部材２１の下部には、図４に示したように、指針運針凹部３３の周囲に位置する下側の電極基板１４の下面を少し覆うフック部２１ｂが設けられている。
【００３４】
これにより、表示部材３０の上側に位置する第１液晶表示パネル３１は、図５および図７に示すように、その外周部の上面が縦長の長方形状に形成された枠状の第１見切り部材１２によって覆われていることにより、この第１見切り部材１２の内周側に位置する領域で、且つ円形のリング状に形成された第２見切り部材２１の外周側に位置する領域が、情報を表示するための表示領域に形成されている。
【００３５】
この第１液晶表示パネル３１の表示領域も、図５に示すように、指針運針凹部３３の上部側に位置する１２時側の領域と、指針運針凹部３３の下部側に位置する６時側の領域との２つの領域に分けられ、実施形態１の表示部材８と同様、１２時側の領域で曜日や日付などの情報を表示し、６時側の領域で現在時刻などの情報を表示するように構成されている。
【００３６】
一方、表示部材３０における下側の第２液晶表示パネル３２は、上側の第１液晶表示パネル３１とほぼ同様、上下一対の透明な電極基板１３、１４間の周囲にシール材１５（図８（ｂ）参照）を設け、このシール材１５で囲われた一対の電極基板１３、１４間に液晶１６（図４参照）を封入し、上側の電極基板１３の上面には上側偏光板１７を設けず、第１液晶表示パネル３１の下側偏光板１８で兼用し、下側の電極基板１４の下面のみに下側偏光板１８を設けた構成になっている。
【００３７】
この第２液晶表示パネル３２も、図７に示すように、インターコネクタ３２ａによって回路基板１１上に電気的に接続された状態で支持され、この状態で一対の電極基板１３、１４間に電圧を印加して液晶１６を駆動することにより、時刻などの情報を電気光学的に表示するように構成されている。この場合、第２液晶表示パネル３２は、図７および図８（ｂ）に示すように、全体が第１液晶表示パネル３１とほぼ同じ大きさの縦長の長方形状に形成されており、その中心部には、軸挿入孔３４が設けられている。
【００３８】
この軸挿入孔３４は、アナログムーブメント１０の指針軸２４が挿入する円形状の孔であり、指針運針凹部３３に対応する箇所における第２液晶表示パネル３２の中心部に上下、つまり上側の電極基板１３の上面から下側の偏光板１８の下面に亘って貫通して設けられている。この軸挿入孔３４の周囲における電極基板１３、１４間にも、図８（ｂ）に示すように、シール材１５が設けられている。
【００３９】
これにより、表示部材３０における下側の第２液晶表示パネル３２は、図６および図７に示すように、その外周部の上面が第１液晶表示パネル３１を介して縦長の長方形状に形成された枠状の第１見切り部材１２によって覆われていることにより、この第１見切り部材１２の内周側に位置する領域で、且つ円形状の軸挿入孔３４の外周側に位置する領域が、情報を表示するための表示領域に形成されている。
【００４０】
この第２液晶表示パネル３２の表示領域は、図６に示すように、第１液晶表示パネル３１の指針運針凹部３３に対応する箇所の上部側に位置する１２時側の領域と、第１液晶表示パネル３１の指針運針凹部３３に対応する箇所の下部側に位置する６時側の領域との２つの領域に分けられ、１２時側の領域で温度などの情報を表示し、６時側の領域でワールドタイムにおける世界の各都市を表すための世界地図などの情報を表示するように構成されている。
【００４１】
ところで、アナログムーブメント１０の指針軸２４は、図５〜図７に示すように、筒状の時針軸２４ａと、この時針軸２４ａ内に回転自在に挿入する棒状の分針軸２４ｂとを備え、アナログムーブメント１０内から回路基板１１の軸挿入孔１１ａ、バックライトパネル９の軸挿入孔９ａ、および表示部材３０の下側に位置する第２液晶表示パネル３２の軸挿入孔３４を通して、表示部材３０の上側に位置する第１液晶表示パネル３１の指針運針凹部３３内に突出するように構成されている。
【００４２】
この場合にも、指針軸２４は、図７に示すように、時針軸２４ａ内に挿入された棒状の分針軸２４ｂの上端部が時針軸２４ａの上端部よりも少し上方に突出し、この突出した分針軸２４ｂの上端部が第１液晶表示パネル３１の上面、つまり上側偏光板１７の上面とほぼ同じ高さで、第２見切り部材２１の上面よりも少し低い位置に配置されている。また、指針軸２４の上端部に取り付けられた指針２５は、実施形態１と同様、時針軸２４ａの上端部に取り付けられた時針２５ａと、分針軸２４ｂの上端部に取り付けられた分針２５ｂとを備えた２針構造で、時針２５ａと分針２５ｂとが第１液晶表示パネル３１の指針運針凹部３３内で運針するように構成されている。
【００４３】
このような腕時計によれば、表示部材３０が第１液晶表示パネル３１と第２液晶表示パネル３２とを上下に積層した２層構造であるから、上側の第１液晶表示パネル３１を駆動させた場合に、実施形態１と同様、第１液晶表示パネル３１の表示領域における１２時側の領域で曜日や日付などの情報を表示することができると共に、第１液晶表示パネル３１の表示領域における６時側の領域で現在時刻などの情報を表示することができ、且つ第１液晶表示パネル３１の指針運針凹部３３で運針する指針２５によって現在時刻を指示することができる。これにより、図５に示すように、腕時計ケース１の外部から時計ガラス２を通して、表示部材３０の第１液晶表示パネル３１に表示された情報と、アナログムーブメント１０の指針２５によって指示された現在時刻とを視認することができる。
【００４４】
また、下側の第２液晶表示パネル３２を駆動させた場合には、図６に示すように、第２液晶表示パネル３２の表示領域における１２時側の領域で温度などの情報を表示することができると共に、第２液晶表示パネル３２の表示領域における６時側の領域でワールドタイムの各都市を示す世界地図などの情報を表示することができ、且つ第１液晶表示パネル３１の指針運針凹部３３で運針する指針２５によって現在時刻を指示することができる。これにより、腕時計ケース１の外部から時計ガラス２および第１液晶表示パネル３１を通して、第２液晶表示パネル３２に表示された情報を視認することができると共に、時計ガラス２のみを通して指針２５で指示された現在時刻を視認することができる。
【００４５】
このように、この腕時計によれば、表示部材３０が第１液晶表示パネル３１と第２液晶表示パネル３２とを上下に積層下２層構造で、上側の第１液晶表示パネル３１に指針２５を運針可能に収容する指針運針凹部３３を設けたので、この指針運針凹部３３内で指針２５を運針させることができる。このため、実施形態１と同様、表示部材３０と指針２５との両方を備えていても、アナログムーブメント１０の厚み以外に、表示部材３０の厚みを確保するだけで良いので、時計全体の薄型化を図ることができる。
【００４６】
この場合にも、図７に示すように、時計ガラス２と時計モジュール５の上部ハウジング６との間に配置された第１見切り部材１２を薄く形成することにより、時計ガラス２を表示部材３０の第１液晶表表示パネルの上面に接近させることができ、これによっても腕時計ケース１の厚みを薄くすることができる。
【００４７】
また、第１液晶表示パネル３１における指針運針凹部３３の内周部には、円形のリング状に形成された第２見切り部材２１が設けられているので、実施形態１と同様、第２見切り部材２１によって表示部材３０の第１液晶表示パネル３１の強度を補強することができ、これにより第１液晶表示パネル３１に指針運針凹部３３を設けても、第１液晶表示パネル３１の強度を十分に高めることができるほか、この第２見切り部材２１によって時計全体の外観およびデザインを損なわないようにすることができる。
【００４８】
さらに、この第２見切り部材２１も、実施形態１と同様、第１見切り部材１２で囲われる領域内に円形のリング状に設けられ、その周囲における上面に時字２２が円周に沿って等間隔で設けられているので、図１に示すように、第１見切り部材１２よりも第２見切り部材２１を指針２５に接近させることができ、これにより指針運針凹部３３内で指針２５が運針する際、指針２５が指示する時字２２を確認しやすくすることができるので、時刻を正確に且つ良好に知ることができる。
【００４９】
（実施形態３）
次に、図９〜図１２を参照して、この発明を腕時計に適用した実施形態３について説明する。この場合には、図５〜図８に示された実施形態２と同一部分に同一符号を付して説明する。
この腕時計は、表示部材４０が第１液晶表示パネル４１と第２液晶表示パネル４２とを上下に積層した２層構造で、下側に位置する第２液晶表示パネル４２に指針運針凹部４３を設けた構成であり、これ以外は実施形態２とほぼ同じ構成になっている。この場合、上側の第１液晶表示パネル４１は、実施形態２の第１液晶表示パネル３１と少し異なる構成になっている。
【００５０】
すなわち、この第１液晶表示パネル４１は、図１１に示すように、上下一対の透明な電極基板１３、１４間の周囲にシール材１５（図１２（ａ）参照）を設け、このシール材１５で囲われた一対の電極基板１３、１４間に液晶１６（図４参照）を封入し、上側の電極基板１３の上面に上側偏光板１７を設けると共に、下側の電極基板１４の下面に下側偏光板１８を設けた平板状に構成されている。この第１液晶表示パネル４１も、図１１に示すように、インターコネクタ４１ａによって回路基板１１上に電気的に接続された状態で支持され、この状態で一対の電極基板１３、１４間に電圧を印加して液晶１６を駆動することにより、時刻などの情報を電気光学的に表示するように構成されている。
【００５１】
この上側の第１液晶表示パネル４１は、図９、図１１および図１２（ａ）に示すように、全体が縦長のほぼ長方形の平板状に形成され、その外周部の上面が縦長の長方形状に形成された枠状の第１見切り部材１２によって覆われていることにより、この第１見切り部材１２の内周側に位置する領域で、且つ後述する第２液晶表示パネル４２の指針運針凹部４３に対応する箇所を除く領域が、情報を表示するための表示領域に形成されている。
【００５２】
この第１液晶表示パネル４１の表示領域は、図９に示すように、後述する第２液晶表示パネル４２の指針運針凹部４３に対応する箇所の上部側に位置する１２時側の領域と、指針運針凹部４３に対応する箇所の下部側に位置する６時側の領域との２つの領域に分けられ、実施形態２の第１液晶表示パネル３１と同様、１２時側の領域で曜日や日付などの情報を表示し、６時側の領域で現在時刻などの情報を表示するように構成されている。
【００５３】
一方、表示部材４０における下側に位置する第２液晶表示パネル４２は、実施形態２の第１液晶表示パネル３１とほぼ同様、上下一対の透明な電極基板１３、１４間の周囲にシール材１５（図１２（ｂ）参照）を設け、このシール材１５で囲われた一対の電極基板１３、１４間に液晶１６（図４参照）を封入し、上側の電極基板１３の上面には上側偏光板１７を設けずに、第１液晶表示パネル４１の下側偏光板１８で兼用し、下側の電極基板１４の下面のみに下側偏光板１８を設けた構成になっている。
【００５４】
この下側の第２液晶表示パネル４２も、図１１に示すように、インターコネクタ４２ａによって回路基板１１上に電気的に接続された状態で支持され、この状態で一対の電極基板１３、１４間に電圧を印加して液晶１６を駆動することにより、時刻などの情報を電気光学的に表示するように構成されている。この第２液晶表示パネル４２は、図１０および図１２（ｂ）に示すように、全体が第１液晶表示パネル４１とほぼ同じ大きさの縦長の長方形状に形成されており、その中央部には、指針運針凹部４３が設けられている。
【００５５】
この指針運針凹部４３は、実施形態２の指針運針凹部３３と同様、アナログムーブメント１０によって運針する指針２５を運針可能に収容する大きさの円形状の孔であり、第２液晶表示パネル４２の上下、つまり上側の電極基板１３の上面から下側偏光板１８の下面に亘って貫通して設けられている。この指針運針凹部４３の周囲における電極基板１３、１４間にも、図１２（ｂ）に示すように、シール材１５が設けられており、この指針運針凹部４３の内周面には、図９〜図１１に示すように、第２見切り部材４４が設けられている（図４参照）。
【００５６】
この第２見切り部材４４は、図１０および図１１に示すように、底部４４ａを有する円筒状に形成され、指針運針凹部４３の周囲における第２液晶表示パネル４２の強度を補強するように構成されている。すなわち、この第２見切り部材４４は、その上部が第２液晶表示パネル４２の上側の電極基板１３の上面とほぼ同じ高さで、底部４４ａの上面が第２液晶表示パネル４２の下側偏光板１８の下面とほぼ同じ高さに形成されている。
【００５７】
この場合、第２見切り部材４４の底部４４ａは、指針２５の文字板としての機能を有するものであり、この底部４４ａの中心部には、図１１に示すように、指針軸２４が挿入する軸挿入孔４４ｂが設けられているほか、この底部４４ａの上面には、文字や記号、図形などのロゴマーク４４ｃが設けられている。また、この第２見切り部材４４の周囲における上端面にも、図９および図１０に示すように、時字２２が円周に沿って等間隔で設けられている。
【００５８】
これにより、第２液晶表示パネル４２は、図１０および図１１に示すように、その外周部の上面が第１液晶表示パネル４１を介して縦長の長方形状に形成された枠状の第１見切り部材１２によって覆われていることにより、この第１見切り部材１２の内周側に位置する領域で、且つ円形のリング状に形成された第２見切り部材４４の外周側に位置する領域が、情報を表示するための表示領域に形成されている。
【００５９】
この第２液晶表示パネル４２の表示領域は、図１０に示すように、指針運針凹部４３の上部側に位置する１２時側の領域と、指針運針凹部４３の下部側に位置する６時側の領域との２つの領域に分けられ、実施形態２の第２液晶表示パネル３２と同様、１２時側の領域で温度などの情報を表示し、６時側の領域でワールドタイムにおける世界の各都市を表すための世界地図などの情報を表示するように構成されている。
【００６０】
ところで、アナログムーブメント１０の指針軸２４は、図１１に示すように、筒状の時針軸２４ａと、この時針軸２４ａ内に回転自在に挿入する棒状の分針軸２４ｂとを備え、アナログムーブメント１０内から回路基板１１の軸挿入孔１１ａ、バックライトパネル９の軸挿入孔９ａ、および第２液晶表示パネル４２における第２見切部材４４の底部４４ａに設けられた軸挿入孔４４ｂを通して、表示部材４０の下側に位置する第２液晶表示パネル４２の指針運針凹部４３内に突出するように構成されている。
【００６１】
この場合にも、指針軸２４は、図１１に示すように、時針軸２４ａ内に挿入された棒状の分針軸２４ｂの上端部が時針軸２４ａの上端部よりも少し上方に突出し、この突出した分針軸２４ｂの上端部が第１液晶表パネル４１の下側に位置する第２液晶表示パネル４２の上面、つまり上側の電極基板１３の上面よりも少し低い位置に配置されている。また、指針軸２４の上端部に取り付けられた指針２５は、実施形態２と同様、時針軸２４ａの上端部に取り付けられた時針２５ａと、分針軸２４ｂの上端部に取り付けられた分針２５ｂとを備えた２針構造で、時針２５ａと分針２５ｂとが第２液晶表示パネル４２の指針運針凹部４３内で運針するように構成されている。
【００６２】
このような腕時計によれば、表示部材４０が第１液晶表示パネル４１と第２液晶表示パネル４２とを上下に積層した２層構造であるから、上側の第１液晶表示パネル４１を駆動させた場合に、図９に示すように、第１液晶表示パネル４１の表示領域における１２時側の領域で曜日や日付などの情報を表示することができると共に、第１液晶表示パネル４１の表示領域における６時側の領域で現在時刻などの情報を表示することができ、且つ第２液晶表示パネル４２の指針運針凹部４３で運針する指針２５によって現在時刻を指示することができる。
【００６３】
これにより、図９に示すように、腕時計ケース１の外部から時計ガラス２を通して、第１液晶表示パネル４１に表示された情報を視認することができると共に、腕時計ケース１の外部から時計ガラス２および第１液晶表示パネル４１を通して、第２液晶表示パネル４２に設けられた指針運針凹部４３内で運針する指針２５によって指示された現在時刻をも視認することができる。
【００６４】
また、下側の第２液晶表示パネル４２を駆動させた場合には、図１０に示すように、第２液晶表示パネル４２の表示領域における１２時側の領域で温度などの情報を表示することができると共に、第２液晶表示パネル４２の表示領域における６時側の領域でワールドタイムの各都市を示す世界地図などの情報を表示することができ、且つ第２液晶表示パネル４２の指針運針凹部４３で運針する指針２５によって時刻を指示することができる。これにより、腕時計ケース１の外部から時計ガラス２および第１液晶表示パネル４１を通して、第２液晶表示パネル４２に表示された情報、および指針２５で指示された現在時刻を視認することができる。
【００６５】
このように、この腕時計によれば、表示部材４０が第１液晶表示パネル４１と第２液晶表示パネル４２とを上下に積層した２層構造で、下側の第２液晶表示パネル４２に指針２５を運針可能に収容する指針運針凹部４３を設けたので、この指針運針凹部４３内で指針２５を運針させることができる。このため、実施形態２と同様、表示部材４０と指針２５との両方を備えていても、アナログムーブメント１０の厚み以外に、表示部材４０の厚みを確保するだけで良いので、時計全体の薄型化を図ることができる。
【００６６】
この場合にも、図１１に示すように、時計ガラス２と時計モジュール５の上部ハウジング６との間に配置された第１見切り部材１２を薄く形成することにより、時計ガラス２を表示部材４０の第１液晶表表示パネル４１の上面に接近させることができ、これによっても腕時計ケース１の厚みを薄くすることができる。
【００６７】
また、下側の第２液晶表示パネル４２における指針運針凹部４３の内周部には、図１１に示すように、底部４４ａを有する円筒状の第２見切り部材４４が設けられているので、この底部４４ａを有する円筒状の第２見切り部材４４によって表示部材４０の第２液晶表示パネル４２の強度を確実に補強することができ、これにより第２液晶表示パネル４２に指針運針凹部４３を設けても、第２液晶表示パネル４２の強度をより一層、高めることができるほか、この第２見切り部材４４によっても時計全体の外観およびデザインを損なわないようにすることができる。
【００６８】
また、この第２見切り部材４４は、第１見切り部材１２で囲われる領域内に円形のリング状に設けられ、その周囲における上端面に時字２２が円周に沿って等間隔で設けられているので、第１見切り部材１２よりも第２見切り部材４４を指針２５に接近させることができ、これにより指針運針凹部４３内で指針２５が運針する際、指針２５が指示する時字２２を確認しやすくすることができるので、時刻を正確に且つ良好に知ることができる。さらに、この見切り部材４４の底部４４ａを指針２５の文字板として用いることができると共に、この底部４４ａに文字や記号、図形などのロゴマーク４４ｃを設けることができ、これによりデザイン性および装飾性をも高めることができる。
【００６９】
（実施形態４）
次に、図１３〜図１６を参照して、この発明を腕時計に適用した実施形態４について説明する。この場合にも、図５〜図８に示された実施形態２と同一部分に同一符号を付して説明する。
この腕時計は、表示部材５０が第１液晶表示パネル５１と第２液晶表示パネル５２とを上下に積層した２層構造で、上下の第１、第２液晶表示パネル５１、５２の両者に指針運針凹部５３を連続させて設けた構成であり、これ以外は実施形態２とほぼ同じ構成になっている。
【００７０】
この表示部材５０における上側の第１液晶表示パネル５１は、実施形態２の第１液晶表示パネル３１と同じ構成になっている。すなわち、この第１液晶表示パネル５１は、図１５に示すように、上下一対の透明な電極基板１３、１４間の周囲にシール材１５（図１６参照）を設け、このシール材１５で囲われた一対の電極基板１３、１４間に液晶１６（図４参照）を封入し、上側の電極基板１３の上面に上側偏光板１７を設けると共に、下側の電極基板１４の下面に下側偏光板１８を設けた構成になっている。
【００７１】
この第１液晶表示パネル５１も、図１５に示すように、インターコネクタ５１ａによって回路基板１１上に電気的に接続された状態で支持され、この状態で一対の電極基板１３、１４間に電圧を印加して液晶１６を駆動することにより、時刻などの情報を電気光学的に表示するように構成されている。この第１液晶表示パネル５１は、図１３および図１６に示すように、全体が縦長のほぼ長方形状に形成されており、その中央部には、第１指針運針孔５３ａが設けられている。
【００７２】
この第１指針運針孔５３ａは、実施形態１の指針運針凹部２０と同様、後述するアナログムーブメント１０によって運針する指針５７を運針可能に収容する大きさの円形状の孔であり、第１液晶表示パネル５１の上下、つまり上側偏光板１７の上面から下側偏光板１８の下面に亘って貫通して設けられている。この第１指針運針孔５３ａの周囲における電極基板１３、１４間にも、図１６に示すように、シール材１５が設けられている（図４参照）。
【００７３】
これにより、表示部材５０の上側に位置する第１液晶表示パネル５１は、図１３および図１５に示すように、その外周部の上面が縦長の長方形状に形成された枠状の第１見切り部材１２によって覆われていることにより、この第１見切り部材１２の内周側に位置する領域で、且つ第１指針運針孔５３ａの外周側に位置する領域が、情報を表示するための表示領域に形成されている。
【００７４】
この第１液晶パネル５１の表示領域は、図１３に示すように、第１指針運針孔５３ａの上部側に位置する１２時側の領域と、第１指針運針孔５３ａの下部側に位置する６時側の領域との２つの領域に分けられ、実施形態２の第１液晶表示パネル３１と同様、１２時側の領域で曜日や日付などの情報を表示し、６時側の領域で現在時刻などの情報を表示するように構成されている。
【００７５】
一方、表示部材５０における下側に位置する第２液晶表示パネル５２は、図１５に示すように、上下一対の透明な電極基板１３、１４間の周囲にシール材１５（図１６参照）を設け、このシール材１５で囲われた一対の電極基板１３、１４間に液晶１６（図４参照）を封入し、上側の電極基板１３の上面には上側偏光板１７を設けずに、第１液晶表示パネル４１の下側偏光板１８で兼用し、下側の電極基板１４の下面のみに下側偏光板１８を設けた構成になっている。
【００７６】
この第２液晶表示パネル５２も、図１５に示すように、インターコネクタ５２ａによって回路基板１１上に電気的に接続された状態で支持され、この状態で一対の電極基板１３、１４間に電圧を印加して液晶１６を駆動することにより、時刻などの情報を電気光学的に表示するように構成されている。この第２液晶表示パネル５２は、図１４〜図１６に示すように、全体が第１液晶表示パネル５１とほぼ同じ大きさで縦長の長方形状に形成されており、その中央部には、第２指針運針孔５３ｂが第１液晶表示パネル５１の第１指針運針孔５３ａに対応して設けられている。
【００７７】
この第２指針運針孔５３ｂは、第１液晶表示パネル５１の第１指針運針孔５３ａと同様、後述するアナログムーブメント１０によって運針する指針５７を運針可能に収容する大きさの円形状の孔であり、第２液晶表示パネル５２の上下、つまり上側の電極基板１３の上面から下側偏光板１８の下面に亘って貫通して設けられている。この第２指針運針孔５３ｂの周囲における電極基板１３、１４間にも、図１６に示すように、シール材１５が設けられている（図４参照）。
【００７８】
これにより、下側の第２液晶表示パネル５２は、図１４および図１５に示すように、その外周部の上面が第１液晶表示パネル５１を介して縦長の長方形状に形成された枠状の第１見切り部材１２によって覆われていることにより、この第１見切り部材１２の内周側に位置する領域で、且つ第２指針運針孔５３ｂの外周側に位置する領域が、情報を表示するための表示領域に形成されている。
【００７９】
この第２液晶表示パネル５２の表示領域も、図１４に示すように、第２指針運針孔５３ｂの上部側に位置する１２時側の領域と、第２指針運針孔５３ｂの下部側に位置する６時側の領域との２つの領域に分けられ、実施形態２の第２液晶表示パネル３２と同様、１２時側の領域で温度などの情報を表示し、６時側の領域でワールドタイムにおける世界の各都市を表すための世界地図などの情報を表示するように構成されている。
【００８０】
この場合、表示部材５０における指針運針凹部５３は、図１５に示すように、第１液晶表示パネル５１の第１指針運針孔５３ａと第２液晶表示パネル５２の第２指針運針孔５３ｂとが上下に対応して連続した構成になっている。この指針運針凹部５３の内周面には、図１３〜図１５に示すように、第２見切り部材５５が設けられている。この第２見切り部材５５は、底部５５ａを有する円筒状に形成されている。
【００８１】
すなわち、この第２見切り部材５５は、図１５に示すように、その上端部が上側の第１液晶表示パネル５１の上面とほぼ同じ高さで、底部５５ａの上面が下側の第２液晶表示パネル５２の下面とほぼ同じ高さに形成された構成になっている。この場合、第２見切り部材５５の底部５５ａは、図１３〜図１５に示すように、指針５７の文字板としての機能をも有するように構成されている。
【００８２】
これにより、第２見切り部材５５の底部５５ａにおける中心部には、図１５に示すように、指針軸５６が挿入する軸挿入孔５５ｂが設けられており、この底部５５ａの上面には、図１３〜図１５に示すように、文字や記号、図形などのロゴマーク５５ｃが設けられている。また、この第２見切り部材５５の周囲における上端面にも、図１３および図１４に示すように、時字２２が円周に沿って等間隔で設けられている。
【００８３】
ところで、アナログムーブメント１０の指針軸５６は、図１５に示すように、筒状の時針軸５６ａと、この時針軸５６ａ内に回転自在に挿入する筒状の分針軸５６ｂと、この筒状の分針軸５６ｂ内に回転自在に挿入する棒状の秒針軸５６ｃとを備え、アナログムーブメント１０内から回路基板１１の軸挿入孔１１ａ、バックライトパネル９の軸挿入孔９ａ、および第２見切り部材５５の底部５５ａに設けられた軸挿入孔５５ｂを通して、表示部材５０の指針運針凹部５３内に突出するように構成されている。
【００８４】
この場合、指針軸５６は、図１５に示すように、時針軸５６ａ内に挿入された筒状の分針軸５６ｂの上端部、およびこの分針軸５６ｂ内に挿入された秒針軸５６ｃの上端部が、順次時針軸２４ａの上端部よりも少しずつ上方に突出し、最も突出した秒針軸５６ｃの上端部が第１液晶表パネル５１の上面と同じ高さか、それよりも少し低い位置に配置され、これにより秒針軸５６ｃの上端部が表示部材５０の上面、つまり第１液晶表示パネル５１の上方に突出しないように構成されている。
【００８５】
また、指針軸５６の上端部に取り付けられた指針５７は、時針軸５６ａの上端部に取り付けられた時針５７ａと、分針軸５６ｂの上端部に取り付けられた分針５７ｂと、秒針軸５６ｃの上端部に取り付けられた秒針５７ｃとを備えた３針構造で、時針５７ａ、分針５７ｂ、秒針５７ｃが、第１液晶表示パネル５１と第２液晶表示パネル５２とに連続して設けられた指針運針凹部５３内で運針するように構成されている。
【００８６】
このような腕時計によれば、表示部材５０が第１液晶表示パネル５１と第２液晶表示パネル５２とを上下に積層した２層構造であるから、上側の第１液晶表示パネル５１を駆動させた場合に、実施形態２と同様、第１液晶表示パネル５１の表示領域における１２時側の領域で曜日や日付などの情報を表示することができると共に、第１液晶表示パネル５１の表示領域における６時側の領域で現在時刻などの情報を表示することができ、且つ表示部材５０の指針運針凹部５３で運針する指針５７によって現在時刻を指示することができる。これにより、腕時計ケース１の外部から時計ガラス２を通して、第１液晶表示パネル５１に表示された時刻などの情報、および指針５７で指示された現在時刻を視認することができる。
【００８７】
また、下側の第２液晶表示パネル５２を駆動させた場合には、第２液晶表示パネル５２の表示領域における１２時側の領域で温度などの情報を表示することができると共に、第２液晶表示パネル５２の表示領域における６時側の領域でワールドタイムの各都市を示す世界地図などの情報を表示することができ、且つ表示部材５０の指針運針凹部５３で運針する指針５７によって現在時刻を指示することができる。これにより、腕時計ケース１の外部から時計ガラス２および第１液晶表示パネル５１を通して、第２液晶表示パネル５２に表示された情報を視認することができると共に、時計ガラス２のみを通して指針２５で指示された現在時刻を視認することができる。
【００８８】
このように、この腕時計によれば、表示部材５０が第１液晶表示パネル５１と第２液晶表示パネル５２とを上下に積層した２層構造で、且つ第１液晶表示パネル５１と第２液晶表示パネル５２とに指針５７を運針可能に収容する指針運針凹部５３を連続させて設けたので、この指針運針凹部５３内で３針構造の指針５７を良好に運針させることができる。このため、時針５７ａ、分針５７ｂ、秒針５７ｃからなる３針構造の指針５７を備えていても、アナログムーブメント１０の厚み以外に、表示部材５０の厚みを確保するだけで良いので、時計全体の薄型化を図ることができる。
【００８９】
この場合にも、図１５に示すように、時計ガラス２と時計モジュール５の上部ハウジング６との間に配置された第１見切り部材１２を薄く形成することにより、時計ガラス２を表示部材５０の第１液晶表表示パネル５１の上面に接近させることができ、これによっても腕時計ケース１の厚みを薄くすることができる。
【００９０】
また、この表示部材５０における指針運針凹部５３の内周部には、底部５５ａを有する円筒状の第２見切り部材５５が設けられているので、この底部５５ａを有する円筒状の第２見切り部材５５によって表示部材５０である第１液晶表示パネル５１と第２液晶表示パネル５２との両者の強度を補強することができ、これにより表示部材５０に指針運針凹部５３を設けても、第１液晶表示パネル５１と第２液晶表示パネル５２との両者の強度を十分に高めることができるほか、この第２見切り部材５５によっても時計全体の外観およびデザインを損なわないようにすることができる。
【００９１】
さらに、この第２見切り部材５５も、実施形態３と同様、第１見切り部材１２で囲われる領域内に円形状に設けられ、その周囲における上端面に時字２２が円周に沿って等間隔で設けられているので、第１見切り部材１２よりも第２見切り部材５５を指針５７に接近させることができ、これにより指針運針凹部５３内で指針５７が運針する際、指針５７が指示する時字２２を確認しやすくすることができるので、時刻を正確に且つ良好に知ることができる。また、この見切り部材５５の底部５５ａを指針５７の文字板として用いることができると共に、この底部５５ａに文字や記号、図形などのロゴマーク５５ｃを設けることができ、これによりデザイン性および装飾性をも高めることができる。
【００９２】
なお、上記実施形態１〜４では、表示部材８、３０、４０、５０として、液晶表示パネルを用いた場合について述べたが、必ずしも液晶表示パネルを用いる必要はなく、例えばＥＬ（エレクトロルミネッセンス）表示パネルを用いても良い。
【００９３】
また、上記実施形態１〜４では、腕時計に適用した場合について述べたが、必ずしも腕時計である必要はなく、トラベルウオッチ、目覚まし時計、置き時計、掛け時計などの各種の時計に適用することができるほか、必ずしも時計である必要はなく、水道メータや自動車のメータなどの各種のメータなどの計測機器に広く適用することができる。
【図面の簡単な説明】
【００９４】
【図１】この発明を適用した腕時計の実施形態１を示した拡大正面図である。
【図２】図１のＡ−Ａ矢視における拡大断面図である。
【図３】図１の表示部材を示した正面図である。
【図４】図２の要部を更に拡大して示した断面図である。
【図５】この発明を適用した腕時計の実施形態２において第１液晶表示パネルで情報を表示させた状態を示した拡大正面図である。
【図６】図５において第２液晶表示パネルで情報を表示させた状態を示した拡大正面図である。
【図７】図５のＢ−Ｂ矢視における拡大断面図である。
【図８】図７の表示部材を示し、（ａ）は上側の第１液晶表示パネルを示した正面図、（ｂ）は下側の第２液晶表示パネルを示した正面図である。
【図９】この発明を適用した腕時計の実施形態３において第１液晶表示パネルで情報を表示させた状態を示した拡大正面図である。
【図１０】図９において第２液晶表示パネルで情報を表示させた状態を示した拡大正面図である。
【図１１】図９のＣ−Ｃ矢視における拡大断面図である。
【図１２】図１１の表示部材を示し、（ａ）は上側の第１液晶表示パネルを示した正面図、（ｂ）は下側の第２液晶表示パネルを示した正面図である。
【図１３】この発明を適用した腕時計の実施形態４において第１液晶表示パネルで情報を表示させた状態を示した拡大正面図である。
【図１４】図１３において第２液晶表示パネルで情報を表示させた状態を示した拡大正面図である。
【図１５】図１３のＤ−Ｄ矢視における拡大断面図である。
【図１６】図１５の表示部材である第１液晶表示パネルと第２液晶表示パネルとの一方を示した正面図である。
【符号の説明】
【００９５】
１  腕時計ケース
２  時計ガラス
５  時計モジュール
８、３０、４０、５０  表示部材
１０  アナログムーブメント
２０、３３、４３、５３  指針運針凹部
２１、４４、５５  第２見切り部材
２２  時字
２４、５６  指針軸
２５、５７  指針
３１、４１、５１  第１液晶表示パネル
３２、４２、５２  第２液晶表示パネル
５３ａ  第１指針運針孔
５３ｂ  第２指針運針孔
【図１】
2009156579.tif 000003
【図２】
2009156579.tif 000004
【図３】
2009156579.tif 000005
【図４】
2009156579.tif 000006
【図５】
2009156579.tif 000007
【図６】
2009156579.tif 000008
【図７】
2009156579.tif 000009
【図８】
2009156579.tif 000010
【図９】
2009156579.tif 000011
【図１０】
2009156579.tif 000012
【図１１】
2009156579.tif 000013
【図１２】
2009156579.tif 000014
【図１３】
2009156579.tif 000015
【図１４】
2009156579.tif 000016
【図１５】
2009156579.tif 000017
【図１６】
2009156579.tif 000018